(57)【要約】      （修正有）【課題】安全に使用できる定位窓枠構造を提供する。【解決手段】定位窓枠１０、連動機構２０、定位ギア３０からなる。定位窓枠上に枢接されたフレーム１２を押すことにより、フレームが旋動して、連動機構を連動し、また、第一連動片２１と第二連動片２２を押すことにより、可動銷２６を垂直にシフトさせる効用を達成する。可動銷の係固端２７は、定位ギアに係固されないので、使用者は、安全に、アルミ製枠を所定の位置に移動させることが出来る。使用者が、フレームを押すのを停止する時、可動銷は、弾性素子１７の弾力作用により、導枠１６内で垂直にシフトし、可動銷の係固端は、定位トラック３１で定位し、アルミ製門が、多段式で、安全に定位ギア上に定位し、定位窓の使用安全効用を増進する。【選択図】図１
0003115299.tif 000002
【実用新案登録請求の範囲】
【請求項１】
定位窓構造であって、定位窓枠、連動機構、定位ギア、からなり、前記定位窓枠前側に枢接されたフレームは、前記連動機構に抵触し、前記連動機構の可動銷端側の係固端は、垂直にシフトして、前記定位ギア内で定位し、多段式で移動が可能であることを特徴とする定位窓構造。
【請求項２】
前記連動機構は、第一連動片、第二連動片、及び、可動銷、からなり、前記定位枠内に固設された導枠頂側は、弾性素子により、前記連動機構の可動銷に連接され、前記導枠一側は、枢接ベースにより、前記連動機構の前記第一連動片を枢接することを特徴とする請求項１に記載の定位窓構造。
【請求項３】
前記定位ギアは、トラック側端に連設され、前記可動銷の係固端が、前記定位ギア上で、多段階で定位できることを特徴とする請求項１に記載の定位窓構造。
【考案の詳細な説明】
【技術分野】
【０００１】
本考案は、定位窓構造に関するものであって、特に、定位窓枠と連動機構により、アルミ製門窓が多段式で、定位ギア上に定位し、定位窓の使用功能を増進する定位窓構造に関するものである。
【背景技術】
【０００２】
アルミ製門は、建築物に不可欠な建材であり、現在のアルミ製門の設計では、その安全性を考慮して製作されるように改良が必要である。それは、使用者に、幼児や児童がいる場合、不当な施力でアルミ製門を推動した時、往々にして、窓枠の握持が滑脱して、アルミ製門が過度にシフトし、窓の外に落ちるアクシデントが発生するからである。本考案では、このような、アルミ製門の欠点に対し、改良を加える。
【考案の開示】
【考案が解決しようとする課題】
【０００３】
本考案は、安全に使用できる定位窓構造を提供することを目的とする。            
【課題を解決するための手段】
【０００４】
本考案の定位窓構造は、定位窓枠、連動機構、定位ギア、からなる。定位窓枠上に枢接されたフレームを押すことにより、フレームが旋動して、連動機構を連動し、また、第一連動片と第二連動片を押すことにより、可動銷を垂直にシフトさせる効用を達成する。可動銷の係固端は、定位ギアに係固されないので、使用者は、安全に、アルミ製枠を所定の位置に移動させることが出来る。使用者が、フレームを押すのを停止する時、可動銷は、弾性素子の弾力作用により、導枠内で垂直にシフトし、可動銷の係固端は、定位トラックで定位し、アルミ製門が、多段式で、安全に定位ギア上に定位し、定位窓の使用安全効用を増進する。
【考案の効果】
【０００５】
幼児でも安全に開閉が出来る定位窓構造が提供される。
【考案を実施するための最良の形態】
【０００６】
本考案の定位窓構造は、定位窓枠１０、連動機構２０、定位ギア３０、からなる。定位窓枠１０は、縦型の中空アルミ枠１１前側に、フレーム１２を枢設し、フレーム１２は、枢軸１３により、可動で、中空アルミ枠１１上に枢接されている。フレーム１２の内壁は、上下が連動機構２０に対応し（連動機構２０は、上下が対称に、定位窓枠１０内に組み立てられているので、一側の構造のみを詳述する）、中空アルミ枠１１前側は、定位枠１５を有し、定位枠１５内に、連動機構２０を設置している。中空アルミ枠１１一側は、ガラス窓１４を設置し、中空アルミ枠１１の底側は、トラック３１上に滑設され、フレーム１２の一側の抵止端１２１は、定位枠１５の湾折側板１５１で抵止し、効果的に、フレーム１２と定位枠１５の相対位置を定位する。定位枠１５内の適当な位置は、それぞれ、導枠１６を設置し、導枠１６の頂部は、弾性素子１７により、弾性的に、連動機構２０の可動銷の頂縁位置に連接され、また、導枠１６の一側は、枢接ベース１６１により、連動機構２０の第一連動片２１を枢接する。
【０００７】
連動機構２０は、第一連動片２１、第二連動片２２、及び、可動銷２６、からなり、第一連動片２１は、枢軸２１１により、可動で、導枠１６の枢接ベース１６１に枢接され、第二連動片２２は、枢軸２１１により、可動で、第一連動片２１のもうひとつの枢接ベース２１２内に枢接され、断面がＣ字型の枢接ベース２１２は、フレーム１２の内壁面位置に対応し、フレーム１２と連動機構２０は、一体連動構造を形成する。縦型の可動銷２６頂部の横向きに延伸した枢軸２６１は、可動で、第二連動片２２のもう一つの枢軸ベース２２２に枢接され、可動銷２６は、導枠１６内に垂直に定位滑動し、第一、第二連動片２１、２２を押すことにより、可動銷２６の係固作用を達成する。可動銷２６は、弾性素子１７の引っ張りにより、自動弾性復位し、可動銷２６底端は、係固端２７を延伸し、この係固端２７は、垂直移動して、定位ギア３０内に係固定位する。
【０００８】
定位ギア３０は、トラック３１側端に連設され、定位ギア３０上に、複数の対称な定位溝３２を凹設し、可動銷２６の係固端２７が、定位ギア３０上で、多段階で定位できる。
【０００９】
本考案の構造特徴と使用効果は、以下のようである。定位枠１０上のフレーム１２を押すことにより、フレーム１２が旋動して、連動機構２０を連動し、且つ、第一、第二連動片２１、２２を横に押すことにより、可動銷２６の垂直移動効果を達成し（図５、及び、図６で示される）、この時、可動銷２６の係固端２７は、定位ギア３０上に係固しないので、使用者は、安全に、アルミ製門窓枠を所定の位置に移動させることが出来る。使用者が、フレーム１２を押すのを停止する時、可動銷２６は、弾性素子１７の弾力作用により、導枠１６内で垂直に移動し（図７、及び、図８で示される）、この時、可動銷２６の係固端２７は、定位ギア３０に定位し、アルミ製門窓は、定位ギア３０上に多段式で定位するので、幼児や児童が、安全に使用できる。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１１】
【図１】本考案の定位窓の立体図である。
【図２】本考案の定位窓の立体分解図である。
【図３】本考案の定位窓の部分断面図である。
【図４】本考案の定位窓の部分断面図である。
【図５】本考案の定位窓の操作説明図である。
【図６】本考案の定位窓の操作説明図である。
【図７】本考案の定位窓の操作説明図である。
【図８】本考案の定位窓の操作説明図である。
【符号の説明】
【００１２】
１０…定位窓枠
１１…縦型の中空アルミ枠
１２…フレーム
１２１…抵止端
１３…枢軸
１４…ガラス窓
１５…定位枠
１５１…湾折側板
１６…導枠
１６１…枢接ベース
１７…弾性素子
２０…連動機構
２１…第一連動片
２１１…枢軸
２１２…枢接ベース
２２…第二連動片
２２２…枢軸ベース
２６…可動銷
２７…係固端
３０…定位ギア
３１…トラック
【図１】
0003115299.tif 000003
【図２】
0003115299.tif 000004
【図３】
0003115299.tif 000005
【図４】
0003115299.tif 000006
【図５】
0003115299.tif 000007
【図６】
0003115299.tif 000008
【図７】
0003115299.tif 000009
【図８】
0003115299.tif 000010